(57)【要約】【課題】  フィルタをカメラに容易に短時間で装着することができるフィルタホルダを提供する。【解決手段】  本発明のカメラ用のフィルタホルダは、可撓性を有する素材からなる環状体の一部に、該環状体の外周面１Ｆから内周面１Ｅに到達する切り欠き部１Ｃを形成してなるホルダ基部１Ｂと、ホルダ基部１Ｂ上にホルダ基部１Ｂの空洞部１Ｄを塞がないように重ねられ、切り欠き部１Ｃが開閉可能なようにホルダ基部１Ｂに接着された環状のフィルタ枠保持部１Ａと、を備える。切り欠き部１Ｃを手で開いて、カメラ鏡筒４Ａをホルダ基部１Ｂの空洞部１Ｄに挿通し、ホルダ基部１Ｂの内周面１Ｅがカメラ鏡筒４Ａの外周面に接触するように、ホルダ基部１Ｂをカメラ鏡筒（４Ａ）に装着する。【選択図】図１
2015135442.tif 000002
【特許請求の範囲】
【請求項１】
可撓性を有する素材からなる環状体の一部に、該環状体の外周面（１Ｆ）から内周面（１Ｅ）に到達する切り欠き部（１Ｃ）を形成してなるホルダ基部（１Ｂ）と、
ホルダ基部（１Ｂ）上にホルダ基部（１Ｂ）の空洞部（１Ｄ）を塞がないように重ねられ、切り欠き部（１Ｃ）が開閉可能なようにホルダ基部（１Ｂ）に接着された環状のフィルタ枠保持部（１Ａ）と、を備え、
切り欠き部（１Ｃ）を開いて、カメラ鏡筒（４Ａ）をホルダ基部（１Ｂ）の空洞部（１Ｄ）に挿通し、ホルダ基部（１Ｂ）の内周面（１Ｅ）がカメラ鏡筒（４Ａ）の外周面に接触するように、ホルダ基部（１Ｂ）をカメラ鏡筒（４Ａ）に装着することを特徴とするカメラ用のフィルタホルダ。
【請求項２】
可撓性を有する素材からなる環状体の一部に、該環状体の外周面（１Ｆ）から内周面（１Ｅ）に到達する切り欠き部（１Ｃ）を形成してなるホルダ基部（１Ｂ）と、
ホルダ基部（１Ｂ）上にホルダ基部（１Ｂ）の空洞部（１Ｄ）を塞がないように重ねられ、切り欠き部（１Ｃ）が開閉可能なようにホルダ基部（１Ｂ）に接着された環状のフィルタ枠保持部（１Ａ）と、
フィルタ枠保持部（１Ａ）に保持されたフィルタ枠（２）を備え、
切り欠き部（１Ｃ）を開いて、カメラ鏡筒（４Ｂ）をホルダ基部（１Ｂ）の空洞部（１Ｄ）に挿通し、ホルダ基部（１Ｂ）の内周面（１Ｅ）がカメラ鏡筒（４Ａ）の外周面に接触するように、ホルダ基部（１Ｂ）をカメラ鏡筒（４Ａ）に装着することを特徴とするカメラ用のフィルタホルダ。
【請求項３】
前記切り欠き部（１Ｃ）の間に掛け渡され、その一方の端がホルダ基部（１Ｂ）の貫通穴を介して外に取り出された引き締め紐（５）を備え、引き締め紐（５）を引くことで切り欠き部（１Ｃ）が閉じられるように構成されたことを特徴とする請求項１または２に記載のカメラ用のフィルタホルダ。
【請求項４】
前記切り欠き部（１Ｃ）は、ホルダ基部（１Ｂ）の内側に形成された第１の切り欠き部（１１）と、第１の切り欠き部（１１）の外側に連続して形成され、第１の切り欠き部より幅が広い第２の切り欠き部（１２）とからなり、
第２の切り欠き部（１２）の間に掛け渡された引き締め紐（５）を備え、締め紐（５）の一方の端は、ホルダ基部（１Ｂ）の貫通穴を介してホルダ基部（１Ｂ）の外に取り出され、引き締め紐（５）を引くことで切り欠き部（１Ｃ）が閉じられるように構成されたことを特徴とする請求項１または２に記載のカメラ用のフィルタホルダ。
【請求項５】
ホルダ基部（１Ｂ）の両端部に取り付けられた落下防止用の吊るし紐（６）を備えることを特徴とする請求項１乃至４のいずれかに記載のカメラ用のフィルタホルダ。
【請求項６】
可撓性を有する素材は、クロロプレンゴムであることを特徴とする請求項１乃至５のいずれかに記載のカメラ用のフィルタホルダ。
【発明の詳細な説明】
【技術分野】
【０００１】
本発明は、カメラ鏡筒に装着されるカメラ用のフィルタホルダに関する。
【背景技術】
【０００２】
一眼レフカメラのフィルタは、写真や映像を撮影する際、カメラ鏡筒（レンズと、レンズを収納する筒体からなる）の先端に装着して、レンズを通過する光に制限を与えることができる。例えば、光の表面反射、朝の風景や夕景などの逆光の光線状態では、被写体に明るい部分と暗い部分があり、肉眼ではその両方がしっかり見えても、カメラでの撮影ではコントラストの問題が起こることがある。そこで、フィルタを用いることで、被写体の明るい部分の光を制限し、良好なコントラストの写真を得ることができる。
【０００３】
フィルタをカメラに取り付けるためにはフィルタホルダが用いられる。従来のフィルタホルダは、フィルタを固定するフィルタ枠と、フィルタ枠をカメラ鏡筒に装着するためのアダプターリング等の接続具と、から構成され、フィルタ枠は、アダプターリング等を介してカメラ鏡筒に形成されたねじに螺着されるようになっている。
特許文献１には、この種のカメラ用のフィルタホルダが開示され、特に、フィルタねじ径の異なるカメラレンズへのフィルタの着脱を容易にしたカメラ用のフィルタホルダが開示されている。
【先行技術文献】
【特許文献】
【０００４】
【特許文献１】実開平６−６８０４０公報
【発明の概要】
【発明が解決しようとする課題】
【０００５】
しかしながら、従来のフィルタホルダはフィルタ枠を螺着させる方式なので、その着脱には非常に手間がかかり、その間にシャッターチャンスを失うおそれがある。また、例えば広角レンズのように、カメラ鏡筒にフィルタホルダ装着用のねじが形成されていないものでは、フィルタを装着することができないといった問題もある。
【課題を解決するための手段】
【０００６】
本発明のカメラ用のフィルタホルダは、可撓性を有する素材からなる環状体の一部に、該環状体の外周面（１Ｆ）から内周面（１Ｅ）に到達する切り欠き部（１Ｃ）を形成してなるホルダ基部（１Ｂ）と、ホルダ基部（１Ｂ）上にホルダ基部（１Ｂ）の空洞部（１Ｄ）を塞がないように重ねられ、切り欠き部（１Ｃ）が開閉可能なようにホルダ基部（１Ｂ）に接着された環状のフィルタ枠保持部（１Ａ）と、を備え、
切り欠き部（１Ｃ）を開いて、カメラ鏡筒（４Ａ）をホルダ基部（１Ｂ）の空洞部（１Ｄ）に挿通し、ホルダ基部（１Ｂ）の内周面（１Ｅ）がカメラ鏡筒（４Ａ）の外周面に接触するように、ホルダ基部（１Ｂ）をカメラ鏡筒（４Ａ）に装着することを特徴とする。
【発明の効果】
【０００７】
本発明のフィルタホルダによれば、フィルタをカメラに容易に短時間で装着することができる。また、フィルタホルダ装着用のねじが形成されていないカメラ鏡筒であっても、フィルタを容易に装着することが可能になる。
【図面の簡単な説明】
【０００８】
【図１】本発明の実施形態におけるカメラ用のフィルタホルダを示す斜視図である。
【図２】本発明の実施形態におけるカメラ用のフィルタホルダを示す他の斜視図である。
【図３】本発明の実施形態におけるフィルタホルダをカメラ鏡筒に装着した状態を示す斜視図である。
【図４】本発明の実施形態におけるフィルタホルダをカメラ鏡筒に装着する方法を示す図である。
【図５】本発明の実施形態におけるフィルタホルダ、特に引き締め紐の他の構成例を示す図である。
【図６】本発明の実施形態における落下防止用の吊るし紐を備えたフィルタホルダを示す斜視図である。
【発明を実施するための形態】
【０００９】
本発明の実施形態を図面に基づいて説明する。図１及び図２は、カメラ用のフィルタホルダ１を示す斜視図、図３は、フィルタホルダ１をカメラ鏡筒４Ｂに装着した状態を示す斜視図である。
【００１０】
カメラ用のフィルタホルダ１は、ホルダ基部１Ｂ、及びフィルタ枠保持部１Ａを備えている。ホルダ基部１Ｂは、可撓性を有する素材からなる環状体の一部に、該環状体の外周面１Ｆから内周面１Ｅに到達する切り欠き部１Ｃを形成してなる。ホルダ基部１Ｂはその略中央に空洞部１Ｄを有している。環状体は、外周面１Ｆ、内周面１Ｅ、表面及び裏面を有しているが、外周面１Ｆ、内周面１が曲面になっているのに対し、表面及び裏面は平坦になっていることが好ましい。
【００１１】
空洞部１は、カメラ鏡筒４Ａを挿通するために、平面図で見ると円形とされている。可撓性を有する素材としては、例えば、ゴムのような弾性材、特にクロロプレンゴムが適している。
【００１２】
フィルタ枠保持部１Ａは、フィルタ枠２がその空洞部に嵌合されるように環状の形状を有している。フィルタ枠２の両側にはストライプ状の溝２Ａが形成され、フィルタ３（この例では角型フィルタ）は、この溝２Ａに案内され、固定されるようになっている。フィルタ枠保持部１Ａは、ホルダ基部１Ｂ上にホルダ基部１Ｂの空洞部１Ｄを塞がないように重ねられる。これは空洞部１Ｄにカメラ４のカメラ鏡筒４Ａが挿通されるため、フィルタ枠保持部１Ａとカメラ鏡筒４Ａとが干渉しないようにするためである。
【００１３】
そして、フィルタ枠保持部１Ａは、切り欠き部１Ｃが開閉可能なようにホルダ基部１Ｂの切り欠き部１Ｃの反対側の端部にだけ接着されている。これは、フィルタ枠保持部１Ａの全体を接着面とすると、切り欠き部１Ｃが開閉可能にならないからである。フィルタ枠保持部１Ａも可撓性を有する素材、例えば、ゴムのような弾性材、特にクロロプレンゴムで形成することが好ましい。
【００１４】
図４は、フィルタホルダ１をカメラ鏡筒４Ａに装着する方法を示す図である。図示のように、ホルダ基部１Ｂの左右端部を手で掴んで、切り欠き部１Ｃを開いた状態で、カメラ鏡筒４Ａをホルダ基部１Ｂの空洞部１Ｄに挿通し、ホルダ基部１Ｂの内周面１Ｅがカメラ鏡筒４Ａの外周面に接触するように、ホルダ基部１Ｂをカメラ鏡筒４Ａに装着する。この場合、切り欠き部１Ｃのホルダ基部１Ｂの両側には外側に広がった広縁部１Ｇ，１Ｈを形成し、この部分を両手で掴むようにすると使い勝手が良い。
【００１５】
このように、フィルタホルダ１によれば、カメラ４にフィルタ２を容易に短時間で装着することができる。フィルタ２の交換作業も容易である。また、フィルタホルダ装着用のねじが形成されていないカメラ鏡筒４Ａであっても、フィルタ２を容易に装着することが可能になる。なお、上述の説明では、フィルタ枠２は、フィルタ枠保持部１Ａに着脱自在の構成となっているが、フィルタ枠２をフィルタ枠保持部１Ａに固定して両者を一体化しても良い。
【００１６】
また、図４に示すように、フィルタホルダ１をカメラ鏡筒４Ａに強固に装着するために、引き締め紐５を設けることが好ましい。引き締め紐５は、切り欠き部１Ｃの間に掛け渡され、その一方の端がホルダ基部１Ｂを貫通して外に取り出され、他方の端は、切り欠き部１Ｃにおけるホルダ基部１Ｂの端面に固定されており、引き締め紐５を引くことで切り欠き部１Ｃが閉じられる。これにより、カメラ鏡筒４Ａに装着されたホルダ基部１Ｂが引き締められ、フィルタホルダ１をカメラ鏡筒４Ａに強固に装着することができる。引き締め紐５は、ゴム等の弾性体で形成することが好ましい。
【００１７】
図５は、引き締め紐５の他の構成例を示す図であり、図５（ａ）はホルダ基部１Ｂの平面図、図５（ｂ）はその背面図である。ホルダ基部１Ｂの切り欠き部１Ｃは、ホルダ基部１Ｂの内側に形成された第１の切り欠き部７と、第１の切り欠き部７の外側に連続して形成され、第１の切り欠き部７より幅が広い第２の切り欠き部８とからなる。また、第２の切り欠き部８におけるホルダ基部１Ｂの一方の端面には、第３の切り欠き部９が形成されている。第３の切り欠き部９には、その幅方向を横断して支持棒１０が掛け渡されている。支持棒１０の両端部はホルダ基部１Ｂの中に埋め込まれ、固定されている。
【００１８】
引き締め紐５の一端は、第２の切り欠き部８の他方の端面（第３の切り欠き部９が形成されていない面）に固定され、第２の切り欠き部８を横断して支持棒１０に掛けられ、平行に折り返され、第２の切り欠き部８の他方の端面からホルダ基部１Ｂの貫通穴を介して外部に取り出される。そして、図４の例と同様に、引き締め紐５を引くことで切り欠き部１Ｃが閉じられる。
【００１９】
図５の例では、引き締め紐５を支持棒１０に掛けて折り返しているので、強い引き締め力が生じ、図４の例に比して、フィルタホルダ１をカメラ鏡筒４Ａにより強固に装着することができる。なお、図４の例においても、引き締め紐５は第２の切り欠き部８の間に掛け渡されるが、前述のように、引き締め紐５の一方の端がホルダ基部１Ｂを貫通して外に取り出され、他方の端はホルダ基部１Ｂの切り欠き部１Ｃの端面に固定されている。
【００２０】
図６は、落下防止用の吊るし紐６を備えたフィルタホルダ１を示す斜視図である。
ホルダ基部１Ｂの両端部には、広縁部１Ｇ，１Ｈに隣接して紐取り付け部１１，１２が形成され、吊るし紐６の両端は、それぞれ紐取り付け部１１，１２の取り付け穴に挿通されかつ固定されている。吊るし紐６はゴム等の弾性体で形成することが好ましく、取り付け穴に挿入するだけで、吊るし紐６の摩擦力と弾性により固定することができる。フィルタホルダ１の着脱作業中は、この落下防止用の吊るし紐６をカメラ鏡筒４Ａに掛けることで、フィルタホルダ１を吊るした状態とし、フィルタホルダ１が地面に落下するのを防止することができる。
【００２１】
以上、本発明の実施の形態について、その実施の形態に基づき具体的に説明したが、これに限定されるものではなく、その要旨を逸脱しない範囲で種々変更可能である。例えば、ホルダ基部１Ｂの大きさは、カメラ鏡筒４Ａの外形に合わせて適宜変更することができ、フィルタ枠保持部１Ａの大きさ及び形状は、フィルタ枠２に合わせて適宜変更することができる。
【符号の説明】
【００２２】
１  フィルタホルダ
１Ａ  フィルタ枠保持部
１Ｂ  ホルダ基部
１Ｃ  切り欠き部
１Ｄ  空洞部
１Ｅ  内周面
１Ｆ  外周面
１Ｇ，１Ｈ  広縁部
２  フィルタ枠
３  フィルタ
４  カメラ
５  引き締め紐
６  落下防止用の吊るし紐
７  第１の切り欠き部
８  第２の切り欠き部
９  第３の切り欠き部
１０  支持棒
１１，１２  紐取り付け部
【図１】
2015135442.tif 000003
【図２】
2015135442.tif 000004
【図３】
2015135442.tif 000005
【図４】
2015135442.tif 000006
【図５】
2015135442.tif 000007
【図６】
2015135442.tif 000008
【手続補正書】
【提出日】平成27年4月22日(2015.4.22)
【手続補正１】
【補正対象書類名】特許請求の範囲
【補正対象項目名】請求項４
【補正方法】変更
【補正の内容】
【請求項４】
前記切り欠き部（１Ｃ）は、ホルダ基部（１Ｂ）の内側に形成された第１の切り欠き部（７）と、第１の切り欠き部（７）の外側に連続して形成され、第１の切り欠き部（７）より幅が広い第２の切り欠き部（８）とからなり、
第２の切り欠き部（８）の間に掛け渡された引き締め紐（５）を備え、引き締め紐（５）の一方の端は、ホルダ基部（１Ｂ）の貫通穴を介してホルダ基部（１Ｂ）の外に取り出され、引き締め紐（５）を引くことで切り欠き部（１Ｃ）が閉じられるように構成されたことを特徴とする請求項１または２に記載のカメラ用のフィルタホルダ。